【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
心電信号を検出するためのプロセッサの方法であって、
プロセッサで電極のセットからの顔面の生体電位信号を表す記憶されたデータにアクセスするステップと、
前記顔面の生体電位信号を表す前記データから心電信号を前記プロセッサによって検出するステップと
を含む方法。
【請求項２】
前記記憶されたデータが、
（ｉ）前記電極のセットのうちの少なくとも２つの電極の信号の間で決定された電圧差と、
（ｉｉ）非接触型センサを備える前記電極のセットで決定された電界強度と、
（ｉｉｉ）前記電極のセットの２つの電極間で測定された電流と、
のうち少なくとも１つを表す、請求項１に記載の方法。
【請求項３】
前記検出するステップが、前記顔面の生体電位信号の信号処理を含む、請求項１から２のいずれか一項に記載の方法。
【請求項４】
前記処理が、前記顔面の生体電位信号をフィルタリングするステップを含む、請求項３に記載の方法。
【請求項５】
前記心電信号から心拍数を決定するステップをさらに含む、請求項１から４のいずれか一項に記載の方法。
【請求項６】
前記心拍数を決定する前記ステップが、
（ｉ）前記心電信号内のピークを検出するステップと、
（ｉｉ）検出されたピーク間の間隔を決定するステップと、
（ｉｉｉ）前記決定された間隔をフィルタリングして、しきい値より短い決定された間隔を除去するステップと、
（ｉｖ）前記決定された間隔の平均を決定するステップと、
のうち１つまたは複数のステップを含む、請求項５に記載の方法。
【請求項７】
前記電極のセットが第１の電極と第２の電極とを備え、前記第１の電極が鼻腔より下の顔面電極である、請求項１から６のいずれか一項に記載の方法。
【請求項８】
前記第１の電極が矢状軸の左側の顔面電極である、請求項７に記載の方法。
【請求項９】
前記第２の電極が接地電極を備える、請求項１から８のいずれか一項に記載の方法。
【請求項１０】
前記電極セットのうち少なくとも前記第１の電極がヘッドギアの一部分または呼吸マスクの一部分と一体化され、あるいはマスククッションの非導電性ポリマーに埋め込まれる、請求項７から９のいずれか一項に記載の方法。
【請求項１１】
前記第１の電極が導電性インクから形成される、あるいは導電性糸から形成された織物電極である、請求項７から１０のいずれか一項に記載の方法。
【請求項１２】
少なくとも前記第１の電極が皮膚接触電極である、請求項７から１１のいずれか一項に記載の方法。
【請求項１３】
前記第１の電極が非接触型電極である、請求項７から１１のいずれか一項に記載の方法。
【請求項１４】
前記心拍数を繰り返し決定するステップに基づいて心拍変動性を決定するステップをさらに含む、請求項５から６のいずれか一項に記載の方法。
【請求項１５】
心電信号を検出するためのデバイスであって、
顔面電極のセットと、
前記顔面電極のセットと結合されたプロセッサであって、前記顔面電極のセットで測定された顔面の生体電位信号からの心電信号の検出を制御するように構成されたプロセッサと
を備えるデバイス。
【請求項１６】
前記顔面電極のセットが第１の電極と第２の電極とを備え、前記第１の電極が鼻腔より下の電極である、請求項１５に記載のデバイス。
【請求項１７】
前記第１の電極が矢状軸の左側の電極である、請求項１６に記載のデバイス。
【請求項１８】
前記第２の電極が接地電極を備える、請求項１６または１７に記載のデバイス。
【請求項１９】
前記顔面電極のセットのうち少なくとも前記第１の電極がヘッドギアの一部分または呼吸患者インタフェースの一部分と一体化され、あるいはマスククッションの非導電性ポリマーに埋め込まれる、請求項１６から１８のいずれか一項に記載のデバイス。
【請求項２０】
少なくとも前記第１の電極が導電性インクから形成され、あるいは導電性糸から形成された織物電極である、請求項１６から１９のいずれか一項に記載のデバイス。
【請求項２１】
少なくとも前記第１の電極が皮膚接触電極である、請求項１６から２０のいずれか一項に記載のデバイス。
【請求項２２】
前記第１の電極が非接触型電極である、請求項１６から２０のいずれか一項に記載のデバイス。
【請求項２３】
前記プロセッサが、
（ｉ）前記電極のセットのうちの少なくとも２つの電極の信号間の電圧差の検出と、
（ｉｉ）非接触型センサを備える前記電極のセットによる電界強度の決定と、
（ｉｉｉ）前記電極のセットのうちの２つの電極の間の電流の測定と、
のうち少なくとも１つを制御することによって、前記顔面の生体電位信号を測定する、請求項１５から２２のいずれか一項に記載のデバイス。
【請求項２４】
前記プロセッサが、前記顔面の生体電位信号を処理することによって前記心電信号を検出する、請求項１５から２３のいずれか一項に記載のデバイス。
【請求項２５】
前記処理が、前記顔面の生体電位信号をフィルタリングするステップを含む、請求項２４に記載のデバイス。
【請求項２６】
前記プロセッサが前記心電信号から心拍数を決定する、請求項１５から２５のいずれか一項に記載のデバイス。
【請求項２７】
前記心拍数を決定する前記ステップが、
（ｉ）前記心電信号内のピークを検出するステップと、
（ｉｉ）検出されたピーク間の間隔を決定するステップと、
（ｉｉｉ）前記決定された間隔をフィルタリングして、しきい値より短い決定された間隔を除去するステップと、
（ｉｖ）前記決定された間隔の平均を決定するステップと、
のうち１つまたは複数のステップを使用することを含む、請求項２６に記載のデバイス。
【請求項２８】
前記プロセッサが、前記心拍数を繰り返し決定するステップに基づいて心拍変動性をさらに決定する、請求項２７に記載のデバイス。
【請求項２９】
顔面電極のセットを含む患者インタフェースと、
前記患者インタフェースに結合されるように適合されたフロージェネレータであって、前記患者インタフェースへの、呼吸に適したガスの流れを生成するフロージェネレータと、
前記フロージェネレータと結合され、前記顔面電極のセットと結合されるように適合されたプロセッサであって、前記フロージェネレータを制御し、前記顔面電極のセットで測定された顔面の生体電位信号からの心電信号の検出を制御するように構成されたプロセッサと
を備える呼吸治療装置。
【請求項３０】
前記顔面電極のセットが第１の電極と第２の電極とを備え、前記第１の電極が鼻腔より下の電極である、請求項２９に記載の装置。
【請求項３１】
前記第１の電極が、前記患者インターフェースを支持するように適合されたヘッドギアの一部分の顔面接触面上または前記患者インターフェースの顔面接触面上にあり、あるいは前記患者インターフェースのクッションの非導電性ポリマーに埋め込まれる、請求項３０に記載の装置。
【請求項３２】
前記第１の電極が皮膚接触電極である、請求項３０または３１に記載の装置。
【請求項３３】
前記第１の電極が非接触型電極である、請求項３０または３１に記載の装置。
【請求項３４】
前記第１の電極が矢状軸の左側の電極である、請求項３０から３３のいずれか一項に記載の装置。
【請求項３５】
前記第２の電極が接地電極を備える、請求項３０から３４のいずれか一項に記載の装置。
【請求項３６】
前記第１の電極が導電性インクから形成され、あるいは導電性糸から形成された織物電極である、請求項３０から３５のいずれか一項に記載の装置。
【請求項３７】
前記プロセッサが、前記電極のセットのうちの少なくとも２つの電極の信号間の電圧差の検出を制御することによって、前記顔面の生体電位信号を決定する、請求項２９から３６のいずれか一項に記載の装置。
【請求項３８】
前記プロセッサが、前記電極のセットによる電界強度の測定を制御することによって、前記顔面の生体電位信号を決定し、前記電極のセットが非接触型センサを備える、請求項２９から３７のいずれか一項に記載の装置。
【請求項３９】
前記プロセッサが、前記電極のセットのうちの２つの電極の間の電流の測定を制御することによって、前記顔面の生体電位信号を決定する、請求項２９から３８のいずれか一項に記載の装置。
【請求項４０】
呼吸治療装置のための患者インタフェースデバイスであって、
第１の顔面電極を含む電極のセットを備え、
前記電極のセットが、前記電極のセットで測定された顔面の生体電位信号からの心電信号の検出のための呼吸治療装置のプロセッサの信号インタフェースと結合するように適合され、
前記患者インタフェースデバイスが、前記呼吸治療装置のフロージェネレータからの呼吸に適したガスの流れを伝えるように構成される、
患者インタフェースデバイス。
【請求項４１】
前記電極のセットが第２の電極を備え、前記第１の電極が鼻腔より下の電極である、請求項４０に記載のデバイス。
【請求項４２】
前記第１の電極が矢状軸の左側の電極である、請求項４０または４１に記載のデバイス。
【請求項４３】
前記第２の電極が接地電極を備える、請求項４１または４２に記載のデバイス。
【請求項４４】
前記患者インタフェースデバイスが呼吸マスクをさらに備え、前記第１の電極が前記呼吸マスクの顔面接触面上に配置される、請求項４０から４３のいずれか一項に記載のデバイス。
【請求項４５】
前記患者インタフェースデバイスが呼吸マスクのためのヘッドギア支持体をさらに備え、前記第１の電極が前記ヘッドギア支持体の顔面接触面上に配置される、請求項４０から４３のいずれか一項に記載のデバイス。
【請求項４６】
前記第１の電極がヘッドギアの一部分を備える、請求項４０から４３のいずれか一項に記載のデバイス。
【請求項４７】
前記第１の電極が導電性インクから形成され、あるいは導電性糸から形成された織物電極である、請求項４０から４６のいずれか一項に記載のデバイス。
【請求項４８】
前記第１の電極がマスククッションの非導電性ポリマーに埋め込まれる、請求項４０から４４および４７のいずれか一項に記載のデバイス。
【請求項４９】
前記第１の電極が皮膚接触電極である、請求項４０から４８のいずれか一項に記載のデバイス。
【請求項５０】
前記第１の電極が非接触型電極である、請求項４０から４３および４６から４８のいずれか一項に記載のデバイス。